(57)【要約】【課題】  より装飾品として見た目の興味を引くことができるブックカバーを提供する。【解決手段】  収容する図書５０の表表紙５１、背表紙５２、裏表紙５３を覆う表装部１１と、表表紙５１および前記裏表紙５３の一部を保持する保持部１２とを有するブックカバー１０であって、図書５０の表表紙５１、背表紙５２、裏表紙５３を覆う表装部１１の表地１３を２ＷＡＹ生地で形成するとともに外面に絵柄１５を印刷し、また、絵柄１５の全部または一部に、物体１７を入れて隆起させた隆起部１８を形成したので、より装飾品として見た目の興味を引くことができる。【選択図】  図５
2012000816.tif 000002
【特許請求の範囲】
【請求項１】
収容する図書の表表紙、背表紙、裏表紙を覆う表装部と、前記表表紙および前記裏表紙の一部を保持する保持部とを有するブックカバーであって、
前記表装部の表地を２ＷＡＹ生地で形成するとともに、前記表地の表面に絵柄を印刷し、
前記絵柄の全部または一部に、物体を入れることにより隆起した隆起部が形成されていることを特徴とするブックカバー。
【請求項２】
前記表装部は表地と裏地からなる２層構造とされており、
前記物体は、前記隆起部の輪郭に沿って前記表地と前記裏地を接合して、前記表地と前記裏地との間に形成された空間に入れられていることを特徴とする請求項１に記載のブックカバー。
【請求項３】
前記裏地が帆布で形成されていることを特徴とする請求項２に記載のブックカバー。
【請求項４】
前記絵柄が、インクジェットにより印刷されていることを特徴とする請求項１または請求項１乃至３のいずれか１項に記載のブックカバー。
【発明の詳細な説明】
【技術分野】
【０００１】
本発明は、図書の外側に取り付けるブックカバーに関するものである。
【背景技術】
【０００２】
従来より、図書を保護するために取り付けられるブックカバーに、装飾を施したものが知られている（例えば、特許文献１参照）。
図６（Ａ）〜（Ｃ）に示すように、特許文献１に記載のブックカバー１００では、表表紙、背表紙、裏表紙を覆う芯体１０１の、表表紙を覆う表表紙カバー部１０２に、ぬいぐるみ１１０の前面１１１を立体的に取り付け（図６（Ａ）参照）、裏表紙を覆う裏表紙カバー部１０３に、ぬいぐるみ１１０の後面１１２を立体的に取り付けた（図６（Ｂ）参照）。すなわち、芯体１０１に、弾褥材を絵柄（例えば小熊）に合わせて裁断したものを積層し、外面全域を植毛布１０４で被覆して、絵柄を立体的に表した。
このため、図書を収容したブックカバー１００を閉じた状態では、ぬいぐるみ１１０の前面１１１と後面１１２が重なり、全体としてあたかもぬいぐるみ１１０のような外観を呈する。
【０００３】
これにより、収容する図書の保護に加えて、飾ったり抱っこしたりしてぬいぐるみとして楽しむことができる。また、ブックカバー１００が注意を引き、印象に残ることにより、図書にも愛着を感じることができる等の効果を得ている。
【先行技術文献】
【特許文献】
【０００４】
【特許文献１】実開昭６３−９２７７３号公報（第１図〜第３図）
【発明の概要】
【発明が解決しようとする課題】
【０００５】
しかしながら、前述したような従来のブックカバー１００においては、立体的に表現した絵柄の外面を植毛布１０４で被覆しているため、装飾品としての見た目を向上させるには限界があるという問題があった。
【０００６】
そこで、本発明は、上記の問題を鑑みてなされたものであり、より装飾品として見た目の興味を引くことができるブックカバーを提供することを目的とする。
【課題を解決するための手段】
【０００７】
本発明のブックカバーは、収容する図書の表表紙、背表紙、裏表紙を覆う表装部と、前記表表紙および前記裏表紙の一部を保持する保持部とを有するブックカバーであって、少なくとも前記表装部の表地を２ＷＡＹ生地で形成するとともに、前記表地の表面に絵柄を印刷し、前記絵柄の全部または一部に、物体を入れることにより隆起した隆起部が形成された構成を有している。
【０００８】
なお、ここで、「２ＷＡＹ生地」とは、直交する二方向に伸縮可能な生地を言う。
【０００９】
また、本発明に係るブックカバーは、前記表装部は表地と裏地からなる２層構造とされており、前記物体は、前記隆起部の輪郭に沿って前記表地と前記裏地を接合して、前記表地と前記裏地との間に形成された空間に入れられていても良い。
【００１０】
また、本発明のブックカバーは、前記裏地が帆布で形成されていても良い。
【００１１】
また、本発明のブックカバーは、前記絵柄が、インクジェットにより印刷されていても良い。
【発明の効果】
【００１２】
本発明に係るブックカバーによれば、より装飾品として見た目の興味を引くことができるブックカバーを提供することができる。
【図面の簡単な説明】
【００１３】
【図１】本発明にかかる実施形態のブックカバーの使用状態を示す斜視図である。
【図２】本発明にかかる実施形態のブックカバーを展開した状態の正面図である。
【図３】本発明にかかる実施形態のブックカバーを展開した状態の背面図である。
【図４】本発明にかかる実施形態のブックカバーを正面側から見た要部斜視図である。
【図５】図２中Ｖ−Ｖ位置の断面図である。
【図６】（Ａ）は従来のブックカバーの表表紙の正面図、（Ｂ）は裏表紙の正面図，（Ｃ）はブックカバーを展開した状態の芯体を示す正面図である。
【発明を実施するための形態】
【００１４】
以下、本発明に係る好適な実施の形態について、図面を参照しながら詳細に説明する。
図１に示すように、本発明にかかる実施形態のブックカバー１０は、収容する図書５０の表表紙５１、背表紙５２、裏表紙５３を覆って使用されるものであり、表表紙５１、背表紙５２、裏表紙５３を覆う表装部１１と、表表紙５１および裏表紙５３の一部を保持することによりブックカバー１０を図書に取り付ける保持部１２を有する。
【００１５】
図２に示すように、表装部１１には、絵柄１５が設けられている。
また、図３に示すように、保持部１２は、表表紙５１の一部を保持する表保持部１２１と、裏表紙５３の一部を保持する裏保持部１２２とから構成される。表保持部１２１は、例えばポケット状に形成されている。裏保持部１２２は、図書５０の表表紙５１、背表紙５２、裏表紙５３の寸法を加えた長さよりも長い延長部１２３を有しており、延長部１２３を裏表紙５３の端部で内側に折り返して裏表紙５３の一部を保持する。また、本実施例においてはベルト１２４を設け、裏表紙５３の端部で内側に折り返した延長部１２３をベルト１２４で係止している。ベルト１２４は、その上端部および下端部が表装部１１の裏面に、例えば縫合により接合されている。ただし、ベルト１２４は必須の構成ではないことは言うまでもない。
なお、表保持部１２１および裏保持部１２２をともにポケット状にすることもできる。あるいは、表保持部１２１および裏保持部１２２をともに延長部として、表表紙５１、裏表紙５３の端部で折り返すことにより、表表紙５１、裏表紙５３を保持するようにしても良い。また、その場合、表保持部１２１および裏保持部１２２ともにベルトを設けることもできる。
【００１６】
図５に示すように、表装部１１は、表地１３と裏地１４とで２層構造に構成されている。
表装部１１の表地１３を２ＷＡＹ生地で形成するとともに、裏地１４を帆布で形成して芯体としている。ここで、「２ＷＡＹ生地」とは、直交する二方向に伸縮可能な生地を言い、水着やレオタード等に一般的に使用されている。また、「帆布」とは、木綿、麻を平織りにした堅牢な厚地の布のことを言い、元は船の帆に使われていたものであり、現在は、通学用のカバンや油絵用のキャンバス等に一般的に使われている。
【００１７】
図２および図４に示すように、表地１３の一部、主に図書の表表紙５１側に対応する表面１３１には、絵柄１５が印刷されている。そして、図５に示すように、絵柄１５の全部または一部の輪郭１５１に沿って表地１３を裏地１４と接合して、表地１３と裏地１４との間に空間１６を設け、空間１６の内部に物体１７を入れて、絵柄１５の全部または一部を隆起（隆起部１８）させる。
なお、表地１３の２ＷＡＹ生地は一般的にブックカバーに使用されている生地と比較して印刷に適しており、インクジェットで印刷することも可能である。
【００１８】
物体１７を入れて絵柄１５を隆起させる工程の一例について説明する。
まず、絵柄１５の輪郭１５１に沿って、一部を物体１７用の入口として残して、表地１３と裏地１４とを縫合等により接合する。予め、物体１７を密封可能な袋１９に入れて密封しておき、この袋１９を、入口から表地１３を伸張させながら空間１６の内部に入れて、絵柄１５の所望の部分を隆起させる。その後、入口部分の表地１３と裏地１４とを、輪郭１５１に沿って同じく縫合等により接合する。
なお、物体１７としては、シリコン、ポリウレタン、スポンジ等の柔軟な素材を用いると２ＷＡＹ生地の手触りとともに好ましい触感が得られるが、その他にも、希望する隆起部１８の触感に合わせて、種々の材料を用いることができ、もちろん硬質の素材を用いても良い。
【００１９】
以上、説明した本発明の実施形態にかかるブックカバー１０によれば、表地１３を比較的印刷に適した２ＷＡＹ生地で形成したので、絵柄１５をきれいに印刷できる。
また、絵柄１５の全部または一部に、物体１７を入れることにより、隆起させた隆起部１８を形成しているが、表地１３が２ＷＡＹ生地なので、縦横二方向に伸張し、物体１７への追従性が高く、絵柄１５に応じた隆起を忠実に再現することができる。
これにより、より装飾品として見た目の興味を引くとともに、また、物体１７の感触、２ＷＡＹ生地の手触りによりさらに興味を引くことができる。
【００２０】
また、裏地１４が堅牢な帆布で形成されているので、図書を保護するというブックカバーとしての実用性も両立できる。
【００２１】
以上、本発明の好ましい実施形態について詳述したが、本発明に係るブックカバーは、上述した実施形態に限定されるものではなく、特許請求の範囲に記載された本発明の要旨の範囲内において、種々の変形、変化が可能である。
例えば、前述した実施形態においては、収容する図書の表表紙５１に対応する側にのみ絵柄１５および隆起部１８を設けたが、裏表紙５３に対応する側にも絵柄１５および隆起部１８を設けることもできる。さらに、背表紙５２に対応する位置に設けることもできる。
また、表地１４と裏地１４の接合は、縫合の他、接着剤によって接合することもできる。
【符号の説明】
【００２２】
１０  ブックカバー
１１  表装部
１２  保持部
１３  表地
１４  裏地
１５  絵柄
１５１  輪郭
１６  空間
１７  物体
１８  隆起部
５０  図書
５１  表表紙
５２  背表紙
５３  裏表紙
【図１】
2012000816.tif 000003
【図２】
2012000816.tif 000004
【図３】
2012000816.tif 000005
【図４】
2012000816.tif 000006
【図５】
2012000816.tif 000007
【図６】
2012000816.tif 000008